(57)【特許請求の範囲】
【請求項１】
それぞれ車両前後方向に延びる左右のサイドレールと、上記各サイドレールにそれぞれ一端が固着されて車幅方向内側へ延びそれぞれの他端が相互に対向したブラケットと、車幅方向における両端部がそれぞれ上記各ブラケットの他端に連結され前部が上記サイドレールに支持された駆動装置の後部を下方に支持するセンタ部とを有し、上記ブラケットにおける上記他端及び上記センタ部における上記端部がそれぞれ断面略ハット状であって、上記端部が上方から上記他端に重ね合わされることにより上記端部及び上記他端における車両前後方向の位置決めがなされた駆動装置の支持装置。
【発明の詳細な説明】
【０００１】
【発明の属する技術分野】
本発明は、車体にエンジンやトランスミッション等の駆動装置を支持するための装置、とくに、駆動装置の搭載を容易化できる装置に関する。
【０００２】
【従来の技術】
従来の車両においては、図３〜図５に例示されているように、エンジン１とトランスミッション２とが一体的に結合された駆動装置３は、それぞれ車両前後方向に延びる左右のサイドレール４に対して、前部がサポート５を含むフロントマウント６により支持されていると共に、後端面が左右のサイドレール４を連結するクロスメンバ７を介してリヤマウント８により支持され、ほぼ水平状態で搭載されている。
【０００３】
リヤマウント８は、それぞれ断面略ハット状で開口側を上方に向けてクロスメンバ７の下面へ固着された一対の支持部材１０と、各支持部材１０の底部にそれぞれ載置されたゴム材１１と、各ゴム材１１上にそれぞれ一端が固着され他端が垂下した吊り板１２とを有し、吊り板１２の下部がボルト１３によって駆動装置３の後端面に固着されることにより、駆動装置３の後端部がクロスメンバ７から吊り下げられている。
【０００４】
この場合、上方から車体に駆動装置３を搭載するときには、駆動装置３の後端部をクロスメンバ７の下方へもぐり込ませる必要があるため、クレーン等でほぼ水平状態に吊り下げられた駆動装置３全体を図６のように一旦車両後方側へ大きく傾斜させて、駆動装置３の後端部を吊り板１２の下部へ仮止めし、その後、駆動装置３全体を水平方向へ回動させて、駆動装置３の後部をリヤマウント８によりクロスメンバ７から吊り下げるようにすると共に、駆動装置３の前部を左右のフロントマウント６に固着しなければならなかった。
【０００５】
すなわち、駆動装置３の搭載に際しては、重量の大きい駆動装置３をクレーン等で吊り下げながら車両後方側へ大きく傾斜させて吊り板１２の下部へ仮止めしたり、元のほぼ水平状態へ回動させたりする操作が必要とされるため、その作業性が悪いという問題があった。
【０００６】
【発明が解決しようとする課題】
本発明は、車体へ駆動装置を容易に搭載できるようにしようとするものである。
【０００７】
【課題を解決するための手段】
このため、本発明にかかる駆動装置の支持装置は、それぞれ車両前後方向に延びる左右のサイドレールと、上記各サイドレールにそれぞれ一端が固着されて車幅方向内側へ延びそれぞれの他端が相互に対向したブラケットと、車幅方向における両端部がそれぞれ上記各ブラケットの他端に連結され前部が上記サイドレールに支持された駆動装置の後部を下方に支持するセンタ部とを有し、上記ブラケットにおける上記他端及び上記センタ部における上記端部がそれぞれ断面略ハット状であって、上記端部が上方から上記他端に重ね合わされることにより上記端部及び上記他端における車両前後方向の位置決めがなされている。
【０００８】
従って、左右のサイドレールにそれぞれブラケットの一端を固着して、それぞれ車幅方向内側へ延びた各ブラケットの他端が相互に対向しているので、駆動装置の後部から上方へ延びるようにその後部へセンタ部を予め固着しておけば、クレーン等により駆動装置をほぼ水平状態に吊り下げたまま上方から降下させて、センタ部の車幅方向における両端部をそれぞれ各ブラケットの上記他端に連結することにより、左右のサイドレールを両ブラケットとセンタ部とで車幅方向に連結できると共に、駆動装置の後部をセンタ部の下方で支持できて、駆動装置をほぼ水平状態のまま車体に搭載させることができ、しかも、ブラケットにおける他端及びセンタ部における端部がそれぞれ断面略ハット状であって、上記端部が上方から上記他端に重ね合わされることにより上記端部及び上記他端における車両前後方向の位置決めがなされるため、センタ部の車幅方向における両端部をそれぞれ各ブラケットの上記他端に連結する際、両者間の車両前後方向位置決めがきわめて簡単となる。
【０００９】
以下、本発明の実施形態例について、前記従来装置との同等部分にはそれぞれ同一符号を付けて説明する。
図１及び図２において、エンジン１とトランスミッション２とが一体的に結合された車両の駆動装置３は、それぞれ車両前後方向に延びる左右の断面略コ字状サイドレール４に対して、前部がフロントマウント６により支持されていると共に、後端面が左右のサイドレール４を連結するクロスメンバ２０を介してリヤマウント２１により支持され、ほぼ水平状態で車体に搭載されている。
【００１０】
クロスメンバ２０は、ブラケット２２、２２とセンタ部２３とから構成されていて、各ブラケット２２はそれぞれ上下の断面略ハット状部材２４、２５が開口側を上下に向かい合わせにボルト止めされて形成されており、各ブラケット２２の一端がそれぞれ左右のサイドレール４に固着されて車幅方向内側へ延びている一方、センタ部２３は断面略ハット状で開口側が下方に向けられ、車幅方向における両端部がそれぞれ各ブラケット２２の上方部材２４における車幅方向内側の端部に上方から係合させられて、ブラケット２２の他端にボルト止めされている。
【００１１】
リヤマウント２１は、車幅方向に間隔をおいてそれぞれ上端がセンタ部２３の下面に固着された吊り板２６と、吊り板２６により両端が支持された軸２７と、軸２７が中心に配置されて軸２７との環状空間にゴム材が充填されたケーシング２８と、ケーシング２８に一体的に形成されて下端部が駆動装置３の後端面にボルト止めされたブラケット２９とから構成され、両ブラケット２２における上記他端間の間隔よりも車幅方向に小さく形成されている。
【００１２】
すなわち、駆動装置３の後部はリヤマウント２１を介してクロスメンバ２０により支持されているが、左右のサイドレール４が通常のように断面略コ字状であっても、左右のサイドレール４を連結するクロスメンバ２０が両ブラケット２２、２２とセンタ部２３とに３分割されているので、各ブラケット２２の一端をそれぞれ左右のサイドレール４に固着しておけば、リヤマウント２１を介してセンタ部２３に後部が連結された駆動装置３は、図２に２点鎖線で示すように、クレーン等によりほぼ水平に吊り下げられた状態で上方から降下させて、前部をフロントマウント６上に載置させると共に、センタ部２３の両端部をそれぞれ各フランジ２２における上方部材２４の端部に上方から係合させて、センタ部２３の両端部と各フランジ２２の上記他端とをそれぞれボルト止めすることにより、駆動装置３をほぼ水平状態のまま、駆動装置３の後部をセンタ部２３の下方で車体へ支持させることができる。
【００１３】
この場合、各ブラケット２２の上記他端に対するセンタ部２３両端部の係合は、両者がいずれも比較的大きい構造物であるため、それらを組み合わせるための目標が大きく、しかも、相互に係合する各ブラケット２２の上方部材２４とセンタ部２３とがいずれも同じ断面略ハット状であると共に、図１に示されているように、センタ部２３の両端部がそれぞれ各上方部材２４の端部における上方凸部と重ね合わされるように両者を係合させているので、車両前後方向の位置決めがきわめて簡単となる。
【００１４】
従って、車体に対して駆動装置３を搭載させる際、上記従来装置のように重量物である駆動装置３をクレーン等で吊り下げながら車両後方側へ大きく傾斜させたり、元のほぼ水平状態へ回動させたりする操作は全く不要となって、駆動装置３の搭載作業が非常に容易となるので、迅速、かつ、安全に搭載作業を遂行できる大きな長所がある。
【００１５】
【発明の効果】
本発明にかかる駆動装置の支持装置においては、左右のサイドレールにそれぞれブラケットの一端を固着して、それぞれ車幅方向内側へ延びた各ブラケットの他端が相互に対向しているため、駆動装置の後部から上方へ延びるようにその後部へセンタ部を予め固着しておけば、クレーン等により駆動装置をほぼ水平状態に吊り下げたまま上方から降下させて、センタ部の車幅方向における両端部をそれぞれ各ブラケットの上記他端に連結することにより、駆動装置の後部をセンタ部の下方で支持できて、駆動装置をほぼ水平状態のまま車体に搭載させることができ、しかも、センタ部の車幅方向における両端部をそれぞれ各ブラケットの上記他端に連結する際、両者間の車両前後方向位置決めがきわめて簡単となるので、その搭載作業がきわめて容易となる。
【図面の簡単な説明】
【図１】本発明の実施形態例において一部を破断した要部側面図。
【図２】図１のII−II矢視図。
【図３】従来装置において一部を破断した要部側面図。
【図４】図３のIV−IV矢視図。
【図５】図３のＶ−Ｖ矢視図。
【図６】上記従来装置の搭載説明図。
【符号の説明】
３    駆動装置
４    サイドレール
６    フロントマウント
２０  クロスメンバ
２１  リヤマウント
２２  ブラケット
２３  センタ部
【図１】
0003775153.tif 000002
【図２】
0003775153.tif 000003
【図３】
0003775153.tif 000004
【図４】
0003775153.tif 000005
【図５】
0003775153.tif 000006
【図６】
0003775153.tif 000007